(57)【要約】【課題】紙幅規制機構をそれぞれの印画紙に適した幅位置に移動させる際、簡単に、かつ正確に移動することができるプリンタ装置を得ることを目的とする。【解決手段】本発明におけるプリンタ装置１は、印画紙２の側端部を規制して印画紙２を搬送方向に案内する紙幅規制機構３を備え、紙幅規制機構３は、印画紙２の搬送方向と垂直に配置され、印画紙２を搬送方向に案内するための回転軸１１と、印画紙２の側端部を規制するフランジ１３a、紙幅に対応した複数の溝を有する溝部１３dを備え、回転軸１１の両端に摺動、回転自在に嵌合された一対のローラ１３と、ローラ１３を外側へ付勢するように回転軸１１に配置された圧縮コイルバネ１４と、いずれかの溝と嵌合することによってローラ１３を固定して一対のフランジ１３a間の幅を所定の印画紙２の幅に規制するように、回転軸１１の一対のローラ１３の外側にそれぞれ配設された一対の突起１２とを有する。【選択図】図３
2009107773.tif 000002
【特許請求の範囲】
【請求項１】
幅の異なる２種類以上の印画紙に印画を行うプリンタ装置であって、
前記印画紙の側端部を規制して該印画紙を搬送方向に案内する紙幅規制機構を備え、
前記紙幅規制機構は、
前記印画紙の搬送方向と垂直に配置され、前記印画紙を搬送方向に案内するための回転軸と、
前記印画紙の側端部を規制するフランジ、紙幅に対応した複数の溝を有する溝部、をそれぞれ備え、前記回転軸の両端に摺動、回転自在に嵌合された一対のローラと、
前記ローラを外側へ付勢するように前記回転軸に配置された圧縮コイルバネと、
前記溝部のいずれかの溝と嵌合することによって前記ローラを固定して前記一対のフランジ間の幅を所定の印画紙の幅に規制するように、前記回転軸の前記一対のローラの外側にそれぞれ配設された一対の突起と、を有するプリンタ装置。
【請求項２】
前記ローラは、
前記フランジの外側に配設され、外端から前記フランジの方向にそれぞれの紙幅に対応して深さの異なる前記複数の溝が切られた管部をさらに備える請求項１に記載のプリンタ装置。
【請求項３】
前記圧縮コイルバネは、前記ローラを前記回転軸の中心方向に摺動させることによって圧縮可能なように配置される請求項１または２に記載のプリンタ装置。
【発明の詳細な説明】
【技術分野】
【０００１】
本発明は、紙幅の異なる２種類以上の印画紙に印画を行う機能を持つプリンタ装置に関するものである。
【背景技術】
【０００２】
従来から、紙幅の異なる２種類以上の印画紙に印画を行う機能を持つプリンタ装置が知られている。このプリンタ装置には、印画紙の蛇行を防ぎ、安定した印画紙の搬送を確保するために、紙幅規制機構を備えたものがある。
【０００３】
例えばこの紙幅規制機構には、印画紙を搬送する方向に案内するための回転軸と、印画紙の幅を規制するための幅規制部材を備えたものがある。この回転軸には印画紙の幅に相当する箇所に目盛りが設定されており、その目盛り位置に幅規制部材を移動させることによって、プリンタ装置は、印画紙の側端部を規制して安定した印画紙の搬送を確保することができる（下記特許文献１参照）。
【０００４】
【特許文献１】特開平１１−０７９４８４号公報
【発明の開示】
【発明が解決しようとする課題】
【０００５】
しかしながら、このような紙幅規制機構は、幅規制部材によって印画紙の側端部を規制する際に、ユーザーが手動で幅規制部材を印画紙の幅に対応した目盛り位置に移動させるものであり、煩雑で、かつ正確さに欠けるという問題があった。
【０００６】
そこで本発明はかかる問題を解決するためになされたものであり、紙幅を規制するために紙幅規制機構をそれぞれの印画紙に適した位置に移動させる際、容易に、かつ正確に移動させることができるプリンタ装置を得ることを目的とする。
【課題を解決するための手段】
【０００７】
本発明におけるプリンタ装置は、幅の異なる２種類以上の印画紙に印画を行うプリンタ装置であって、前記印画紙の側端部を規制して該印画紙を搬送方向に案内する紙幅規制機構を備え、前記紙幅規制機構は、前記印画紙の搬送方向と垂直に配置され、前記印画紙を搬送方向に案内するための回転軸と、前記印画紙の側端部を規制するフランジ、紙幅に対応した複数の溝を有する溝部、を備え、前記回転軸の両端に摺動、回転自在に嵌合された一対のローラと、前記ローラを外側へ付勢するように前記回転軸に配置された圧縮コイルバネと、前記溝部のいずれかの溝と嵌合することによって前記ローラを固定して前記一対のフランジ間の幅を所定の印画紙の幅に規制するように、前記回転軸の前記一対のローラの外側にそれぞれ配設された一対の突起とを有する。
【発明の効果】
【０００８】
本発明のプリンタ装置によれば、ユーザーは、印画紙の幅に対応する深さの溝を選択して、選択した溝と突起とを嵌合することで紙幅規制機構の位置を決定する。従って、本発明のプリンタ装置は、印画紙の側端部を規制して安定した印画紙の搬送を確保することができ、さらに、容易にかつ正確に印画紙の幅に相当する箇所に紙幅規制機構を移動することができる。
【発明を実施するための最良の形態】
【０００９】
＜実施の形態１＞
図１は、本発明の実施の形態におけるプリンタ装置１の一部を示した斜視図である。本実施の形態におけるプリンタ装置１は、幅の異なる２種類以上の印画紙２に印画を行うことができる機能を備えている。図２は、図１に示したプリンタ装置１の印画紙２の搬送経路２aを示した断面図である。図３は、このプリンタ装置１における紙幅規制機構３を示した斜視図である。以下に、プリンタ装置１における紙幅規制機構３の構成について説明する。
【００１０】
紙幅規制機構３は、印画紙２の蛇行を防ぎ、安定した印画紙２の搬送機能を確保するために、印画紙２の側端部を規制して印画紙２を搬送方向に案内するものである。紙幅規制機構３は、回転軸１１、一対の突起１２、一対のフランジ付ローラ１３、一対の圧縮コイルバネ１４、固定ローラ１５を備えている。図２に示すように本実施の形態では、紙幅規制機構３は、プリンターにセットされた印画前の印画紙２から、印画するヘッドまでの搬送経路２aの間に配置されたものとして説明する。また、紙幅規制機構３は、上述した搬送経路２a以外の箇所に配置されてもよい。
【００１１】
回転軸１１は、印画紙２の搬送方向と垂直に配置され、回転することによって印画紙２を搬送方向に案内する。また、この回転軸１１は、モータ等の駆動源によって回転して、印画紙２を搬送するための駆動力を与えるものであってもよい。
【００１２】
固定ローラ１５は、回転軸１１上に固定されており、回転軸１１の回転駆動に従って回転して、この固定ローラ１５に当接された印画紙２を搬送方向に案内する。
【００１３】
図４は、フランジ付ローラ１３の構成を示した図である。フランジ付ローラ１３は、印画紙２の側端部を規制するフランジ１３a、紙幅に対応した複数の溝１３b〜１３eを有する溝部１３fを備え、回転軸１１の両端に摺動、回転自在に嵌合されている。より詳しくは、例えばこのフランジ付ローラ１３は、フランジ１３aの外側に配設され、外端からフランジ１３aの方向にそれぞれの紙幅に対応して深さの異なる複数の溝１３b〜１３eが切られた管部１６を備えていてもよい。図４には、４種類の深さの溝１３b，１３c，１３d，１３eが形成されているが、４種類以上の深さの溝があってもよい。
【００１４】
圧縮コイルバネ１４は、回転軸１１のフランジ付ローラ１３と固定ローラ１５との間に、フランジ付ローラ１３を外側へ付勢するように配置されている。また、圧縮コイルバネ１４は、フランジ付ローラ１３を回転軸１１の中心方向に摺動させることによって圧縮可能なように配置されている。
【００１５】
突起１２は、回転軸１１上の一対のフランジ付ローラ１３の外側にそれぞれ配設されている。この突起１２は、溝部１３fの溝１３b〜１３eのいずれかと嵌合することによって、嵌合した溝の底でフランジ付ローラ１３を固定し、一対のフランジ１３a間の幅を所定の印画紙２の幅に規制する。
【００１６】
図５は、フランジ付ローラ１３の位置を変更する動作を示した図である。図５を参照して、プリンタ装置１に印画紙２をセットして印画を開始する際に、印画紙２の蛇行を防ぎ、安定した印画紙２の搬送を得るために行う、紙幅規制機構３の位置を調整する動作について説明する。はじめに、印画紙２の幅に対応する深さの溝を選択する（本実施の形態では、溝１３cを選択するものとする）。ここで、選択する溝は、予め印画紙２の規格により定められている。
【００１７】
次に、選択した溝１３cへ突起１２を嵌合させる。溝１３b，１３cは、外側からフランジ１３aの方向に紙幅に対応した深さを有している。すなわち、溝１３b，１３cは、外端が繋がるように形成されている。具体的には、フランジ付ローラ１３を内部（回転軸の中心方向）に押し込み、そのままフランジ付ローラ１３をA方向へ回転させることで、図の位置にある突起１２を溝１３cに嵌合することができる。フランジ付ローラ１３は、圧縮コイルバネ１４により外側に押し出され、溝１３cの底に突起１２が当たることで固定される。
【００１８】
また、印画紙２のサイズを変更して、溝１３bに対応した紙幅の印画紙２に印画を行う際は、フランジ付ローラ１３を内部に押し込み、そのままフランジ付ローラ１３をB方向へ回転させることで、溝１３cの位置にあった突起１２を溝１３bに嵌合することができる。同様に、フランジ付ローラ１３は圧縮コイルバネ１４により外側に押し出され、溝１３bの底に突起１２が当たることで固定される。このように固定された一対のフランジ付ローラ１３のフランジ１３a間の幅は、所定の印画紙２の幅の規制位置に位置決めされる。
【００１９】
以上より、本発明のプリンタ装置１によれば、ユーザーは、印画紙２の幅に対応する深さの溝を選択して、選択した溝と突起１２とを嵌合することで紙幅規制機構３の位置を決定する。従って、本発明のプリンタ装置１は、印画紙２の側端部を規制して安定した印画紙２の搬送を確保することができ、さらに、容易にかつ正確に印画紙２の幅に相当する箇所に紙幅規制機構３を移動することができる。
【産業上の利用可能性】
【００２０】
本発明は、複数の幅の印画紙に印画する機能を持ったプリンタ装置に適用することができる。
【図面の簡単な説明】
【００２１】
【図１】本発明におけるプリンタ装置の一部を示した斜視図である。
【図２】本発明におけるプリンタ装置の印画紙の搬送経路を示した断面図である。
【図３】本発明におけるプリンタ装置の紙幅規制機構を示した斜視図である。
【図４】本発明におけるプリンタ装置のフランジ付ローラの構成を示した図である。
【図５】本発明におけるプリンタ装置のフランジ付ローラの位置を変更する動作を示した図である。
【符号の説明】
【００２２】
１  プリンタ装置、２  印画紙、２a  印画紙の搬送経路、３  紙幅規制機構、１１  回転軸、１２  突起、１３  フランジ付ローラ、１３a  フランジ、１３b，１３c，１３d，１３e  溝、１３f  溝部、１４  圧縮コイルバネ、１５  固定ローラ、１６  管部。
【図１】
2009107773.tif 000003
【図２】
2009107773.tif 000004
【図３】
2009107773.tif 000005
【図４】
2009107773.tif 000006
【図５】
2009107773.tif 000007